(57)【要約】【課題】静電容量タッチパネルを提供する。【解決手段】パターン形成表面（２１）を有する基板と、カラーピクセル層（１９）と、パターン化導電層（３）とを含む。パターン化導電層（３）は、複数の第一及び第二の電極ユニット（３１、３２）と、複数の第一及び第二の導電線（３３、３４）とを含む。第一の電極ユニット（３１）は第二の電極ユニット（３２）に静電容量結合され二次元的に配置された複数の静電容量感知ユニット（５）が形成される。各第一の電極ユニット（３１）は複数の第一の電極（３１１）を含む。各第一の導電線（３３）はパターン形成表面（２１）に沿って各第一の電極ユニット（３１）の少なくとも一つの第一の電極（３１１）からパターン形成表面（２１）の結合領域（２１３）へと接続され延伸する。各第二の導電線（３４）は、第二の電極ユニット（３２）から結合領域（２１３）に延伸し、第一の導電線（３３）と交差しない。【選択図】図１
2010198615.tif 000002
【特許請求の範囲】
【請求項１】
電極形成領域（２１１）と該電極形成領域（２１１）を取り囲み結合領域（２１３）を有する周辺領域（２１１）とに分けられるパターン形成表面（２１）を有する基板（２）と、
前記基板（２）上に配置されカラーピクセル（１９３）のアレイを有するカラーピクセル層（１９）であって、各前記カラーピクセル（１９３）が色の異なる少なくとも三つのサブピクセルカラー要素（１９１）を含む、カラーピクセル層（１９）と、
前記パターン形成表面（２１）上に形成されたパターン化導電層（３）であって、前記電極形成領域（２１１）上に形成され第一の方向（Ｙ）に配列された複数の第一の電極ユニット（３１）と、前記電極形成領域（２１１）上に形成され前記第一の方向（Ｙ）の横方向の第二の方向（Ｘ）に配列された複数の第二の電極ユニット（３２）と、間隔の空けられた複数の第一の導電線（３３）と、間隔の空けられた複数の第二の導電線（３４）とを含むパターン化導電層（３）であって、前記第一の電極ユニット（３１）が前記第二の電極ユニット（３２）に静電容量結合されて、前記電極形成領域（２１１）に二次元的に配置された複数の静電容量感知ユニット（５）が形成され、各前記第一の電極ユニット（３１）が前記第二の方向（Ｘ）に配列された複数の第一の電極（３１１）を含むパターン化導電層（３）と、
を備えた静電容量タッチパネルであって、
各前記第一の導電線（３３）が、前記パターン形成表面（２１）に沿って各前記第一の電極ユニット（３１）の少なくとも一つの前記第一の電極（３１１）から前記周辺領域（２１２）へと接続され延伸していて、前記第一の導電線（３３）が、外部のコネクタ（７）に電気的に結合するために前記結合領域（２１３）において収束し、
各前記第二の導電線（３４）が、前記パターン形成表面（２１）に沿って前記第二の電極ユニット（３２）から前記結合領域（２１２）へと延伸し、前記外部のコネクタ（７）に電気的に結合するために前記結合領域（２１３）において収束し、前記第一の導電線（３３）と交差しない、静電容量タッチパネル。
【請求項２】
各前記第二の電極ユニット（３２）が一つの第二の電極（３２１）を含み、隣接する二つの前記第二の電極ユニット（３２）の前記第二の電極（３２１）が共に該第二の電極（３２１）の間にチャネル（６）を画定し、前記チャネル（６）が前記電極形成領域（２１１）の一側から前記電極形成領域（２１１）の他側へと前記第一の方向（Ｙ）に延伸し、各前記第一の電極ユニット（３１）の各前記第一の電極（３１１）が、前記第二の電極ユニット（３２）の前記第二の電極（３２１）によって画定された前記チャネル（６）に配置されている、請求項１に記載の静電容量タッチパネル。
【請求項３】
前記結合領域（２１３）に隣接する前記電極形成領域（２１１）の前記他側に配置された各前記第一の電極（３１１）から延伸している前記第一の導電線（３３）の一部が、前記電極形成領域（２１１）の外側に配置されている一方、残りの前記第一の導電線（３３）の各々が、各前記第一の電極（３１１）から、各前記第一の電極（３１１）が配置されている前記チャネル（６）へと延伸している、請求項２に記載の静電容量タッチパネル。
【請求項４】
各前記第二の電極ユニット（３２）が、前記第一の方向（Ｙ）に配列された複数の第二の電極（３２１）を含み、前記パターン化導電層（３）が複数の導電相互接続線（３５）を更に含み、各導電相互接続線（３５）が、各前記第二の電極ユニット（３２）の隣接する二つの前記第二の電極（３２１）を相互接続している、請求項１に記載の静電容量タッチパネル。
【請求項５】
隣接する二つの前記第二の電極ユニット（３２）の前記第二の電極（３２１）が共に該第二の電極（３２１）の間にチャネル（６）を画定し、前記チャネル（６）が前記電極形成領域（２１１）の一側から前記電極形成領域（２１１）の他側へと前記第一の方向（Ｙ）に延伸し、各前記第一の電極ユニット（３１）の各前記第一の電極（３１１）が、前記第二の電極ユニット（３２）の前記第二の電極（３２１）によって画定された前記チャネル（６）に配置されている、請求項４に記載の静電容量タッチパネル。
【請求項６】
前記結合領域（２１３）に隣接する前記電極形成領域（２１１）の前記他側に配置された各前記第一の電極（３１１）から延伸している前記第一の導電線（３３）の一部が、前記電極形成領域（２１１）の外側に配置されている一方、残りの前記第一導電線（３３）の各々が、各前記第一の電極（３１１）から、各前記第一の電極（３１１）が配置されている前記チャネル（６）へと延伸している、請求項５に記載の静電容量タッチパネル。
【請求項７】
各前記第二の電極ユニット（３２）が前記第一の方向（Ｙ）に配列された複数の第二の電極（３２１）を含み、各前記第一の電極ユニット（３１）の各前記第一の電極（３１１）が、各前記第二の電極ユニット（３２）の隣接する二つの前記第二の電極（３２１）の間に配列して配置されている、請求項１に記載の静電容量タッチパネル。
【請求項８】
前記第一の電極（３１１）及び前記第二の電極（３２１）が共に複数のチャネル（６）を画定し、各前記チャネル（６）が、前記電極形成領域（２１１）の一側から前記電極形成領域（２１１）の他側へと前記第一の方向（Ｙ）に延伸し、前記パターン化導電層（３）が複数の導電相互接続線（３５）を更に含み、各前記導電相互接続線（３５）が、各前記第二の電極ユニット（３２）の隣接する二つの前記第二の電極（３２１）を相互接続し、各前記導電相互接続線（３５）が前記チャネル（６）の一つに延伸している、請求項７に記載の静電容量タッチパネル。
【請求項９】
前記第一の導電線（３３）が、前記電極形成領域（２１１）の外側に配置され、前記第二の方向（Ｘ）に対して前記周辺領域（２１２）の両側に隣接して配置された各第一の電極（３１１）から延伸し、前記パターン化導電層（３）が導電性の複数の第一の接続線（３６）と導電性の複数の第二の接続線（３７）とを更に含み、各前記第一の接続線（３６）が、各前記チャネル（６）の一側に配置された各前記第一の電極ユニット（３１）の隣接する二つの前記第一の電極（３１１）を相互接続し、各前記第二の接続線（３７）が、前記チャネル（６）の他側に配置された各前記第一の電極ユニット（３１）の隣接する二つの前記第一の電極（３１１）を相互接続している、請求項８に記載の静電容量タッチパネル。
【請求項１０】
各前記第二の電極ユニット（３２）が前記第一の方向（Ｙ）に配列された複数の第二の電極（３２１）を含み、各前記第一の電極ユニット（３１）の各前記第一の電極（３１１）が、二つの前記第二の電極ユニット（３２）の隣接する二つの前記第二の電極（３２１）の間に配列して配置され、各前記第一の導電線（３３）が各前記第一の電極ユニット（３１）の前記第一の電極（３１１）に接続され、各前記第二の導電線（３４）が各前記第二の電極ユニット（３２）の前記第二の電極（３２１）に接続されている、請求項１に記載の静電容量タッチパネル。
【請求項１１】
前記基板（２）が前記パターン形成表面（２１）の反対側の背面（２２）を更に有し、前記静電容量タッチパネルが、前記基板（２）の前記背面（２２）上に形成された導電接地層（９）を更に備える、請求項１に記載の静電容量タッチパネル。
【請求項１２】
前記ピクセル（１９３）の前記サブピクセルカラー要素（１９１）が共に、該サブピクセルカラー要素（１９１）の間に溝（１９０）のネットワークを画定し、前記カラーピクセル層（１９）が、前記溝（１９０）を充填するブラックマトリクス（１９２）を更に有する、請求項１に記載の静電容量タッチパネル。
【請求項１３】
各前記第一の電極（３１１）が複数の第一の導電トレース（３１１１）から形成され、各前記第二の電極ユニット（３２）が、前記第一の方向（Ｙ）に配列された複数の第二の電極（３２１）を含み、各前記第二の電極（３２１）が複数の第二の導電トレース（３２１１）から形成され、前記第一の導電トレース（３１１１）及び前記第二の導電トレース（３２１１）の各々が前記基板（２）に対して法線方向に各前記溝（１９０）のセグメントと配列されている、請求項１２に記載の静電容量タッチパネル。
【請求項１４】
各前記第一の電極（３１１）の前記第一の導電トレース（３１１１）が共に複数の閉ループを画定し、該閉ループの各々が少なくとも一つの前記サブピクセルカラー要素（１９１）を取り囲み、各前記第二の電極（３２１）の前記第二の導電トレース（３２１１）が共に複数の閉ループを画定し、該閉ループの各々が少なくとも一つの前記サブピクセルカラー要素（１９１）を取り囲む、請求項１３に記載の静電容量タッチパネル。
【請求項１５】
前記カラーピクセル層（１９）が、前記基板（２）の前記パターン形成表面（２１）上に形成され、前記第一の導電トレース及び前記第二の導電トレース（３２１１）の各々が前記ブラックマトリクス（１９２）によって覆われている、請求項１３に記載の静電容量タッチパネル。
【請求項１６】
インジウムスズ酸化物製であって前記サブピクセルカラー要素（１９１）を覆うＩＴＯ層（１９４）を更に備えた請求項１５に記載の静電容量タッチパネル。
【請求項１７】
前記基板（２）が、前記パターン形成表面（２１）の反対側の背面（２２）を更に有し、前記カラーピクセル層（１９）が、前記基板（２）の前記背面（２２）上に形成されている、請求項１３に記載の静電容量タッチパネル。
【請求項１８】
インジウムスズ酸化物製であって前記サブピクセルカラー要素（１９１）を覆うＩＴＯ層（１９４）を更に備えた請求項１７に記載の静電容量タッチパネル。
【請求項１９】
インジウムスズ酸化物製の第一のＩＴＯ層（１９４）及び第二のＩＴＯ層（９）を更に備えた静電容量タッチパネルであって、前記基板（２）が、前記パターン形成表面（２１）の反対側の背面（２２）を更に有し、前記第二のＩＴＯ層（９）が、前記基板（２）の前記背面（２２）上に形成され、前記カラーピクセル層（１９）が前記第一のＩＴＯ層（１９４）及び前記第二のＩＴＯ層（９）の間に形成され配置されている、請求項１３に記載の静電容量タッチパネル。
【請求項２０】
インジウムスズ酸化物製の第一のＩＴＯ層（１９４）及び第二のＩＴＯ層（９）と絶縁層（１９５）とを更に備えた静電容量タッチパネルであって、前記絶縁層（１９５）が、前記基板（２）の前記パターン形成表面（２１）上に形成され、前記第一の導電トレース（３１１１）及び前記第二の導電トレース（３２１１）を覆い、前記第二のＩＴＯ層（９）が前記絶縁層（１９５）上に形成され、前記カラーピクセル層（１９）が前記第一のＩＴＯ層（１９４）及び前記第二のＩＴＯ層（９）の間に形成され配置されている、請求項１３に記載の静電容量タッチパネル。
【請求項２１】
制御装置に接続されるように構成された静電容量タッチパネルであって、
電極形成領域（２１１）と該電極形成領域（２１１）を取り囲み結合領域（２１３）を有する周辺領域（２１２）とに分けられるパターン形成表面（２１）を有する基板（２）と、
前記基板上（２）上に配置されカラーピクセル（１９３）のアレイを有するカラーピクセル層（１９）であって、各前記カラーピクセル（１９３）が色の異なる少なくとも三つのサブピクセルカラー要素（１９１）を含む、カラーピクセル層（１９）と、
前記パターン形成表面（２１）上に形成されたパターン化導電層（３）であって、前記電極形成領域（２１１）上に形成された複数の第一の電極ユニット（３１）と、前記電極形成領域（２１１）上に形成された複数の第二の電極ユニット（３２）と、間隔の空けられた複数の第一の導電線（３３）と、間隔の空けられた複数の第二の導電線（３４）とを含むパターン化導電層（３）であって、前記第一の電極ユニット（３１）が前記第二の電極ユニット（３２）に静電容量結合されて、前記電極形成領域（２１１）に二次元的に配置された静電容量感知ユニット（５）が形成され、各前記第一の電極ユニット（３１）が複数の第一の電極（３１１）を含む、パターン化導電層（３）と、
前記制御装置に前記第一の電極ユニット及び前記第二の電極ユニット（３２）を電気的に接続するために、前記基板（２）の前記パターン形成表面（２１）の前記周辺領域（２１２）の前記結合領域（２１３）に結合されたコネクタ（７）であって、間隔の空けられた複数の第一の導電フィンガー部（７３）と間隔の空けられた複数の第二の導電フィンガー部（７４）とを有するコネクタ（７）と、
を備えた静電容量タッチパネルであって、
各前記第一の導電線（３３）が、前記パターン形成表面（２１）に沿って各前記第一の電極ユニット（３１）の少なくとも一つの前記第一の電極（３１１）から前記周辺領域（２１２）へと接続され延伸し、各前記第一の導電線（３３）が、前記第一の導電フィンガー部（７３）に電気的に接続するために、前記結合領域（２１３）において収束し、
各前記第二の導電線（３４）が、前記パターン形成表面（２１）に沿って前記第二の電極ユニット（３２）から前記周辺領域（２１２）へと延伸し、前記第一の導電線（３３）と交差せず、前記第二の導電フィンガー部（７４）に電気的に接続するために、前記結合領域（２１３）において収束する、静電容量タッチパネル。
【請求項２２】
各前記第一の導電線（３３）が、前記第一の電極ユニット（３１）の前記電極（３１１）に接続され延伸し、前記コネクタ（７）が、結合表面（７１）と該結合表面（７１）の反対側の接続表面（７２）とを更に有し、前記第一の導電フィンガー部（７３）及び前記第二の導電フィンガー部（７４）が前記結合表面（７１）上に形成され、前記コネクタ（７）が、前記結合表面（７１）及び前記接続表面（７２）を貫いて延伸する複数のビアユニット（７５）と、前記接続表面（７２）上に形成され間隔の空けられた導電性の複数の連結線（７６）とを更に有し、各前記ビアユニット（７５）が、各前記連結線（７６）に電気的に接続された複数のビア（７５１）を有し、各前記ビアユニット（７５）の各前記ビア（７５１）が、各前記第一の導電フィンガー部（７３）に電気的に接続され、各前記第一の導電フィンガー部（７３）が各前記第一の導電線（３３）に結合され、各前記第二の導電線（３４）が各前記第二の導電フィンガー部（７４）に結合されている、請求項２１に記載の静電容量タッチパネル。
【請求項２３】
各前記第二の電極ユニット（３２）が一つの第二の電極を含み、隣接する二つの前記電極ユニット（３２）の前記第二の電極（３２１）が共に、該第二の電極（３２１）の間にチャネル（６）を画定し、前記チャネル（６）が、前記電極形成領域（２１１）の一側から前記電極形成領域（２１１）の他側へと延伸し、各前記第一の電極ユニット（３１）の各前記第一の電極（３１１）が、前記第二の電極ユニット（３２）の前記第二の電極（３２１）によって画定された前記チャネル（６）に配置されている、請求項２２に記載の静電容量タッチパネル。
【請求項２４】
前記結合領域（２１３）に隣接する前記電極形成領域（２１１）の前記他側に配置された各前記第一の電極（３１１）から延伸している前記第一の導電線（３３）の一部が、前記電極形成領域（２１１）の外側に配置されている一方、残りの前記第一の導電線（３３）の各々が、各前記第一の電極（３１１）から、各前記第一の電極（３１１）が配置されている前記チャネル（６）へと延伸している、請求項２２に記載の静電容量タッチパネル。
【請求項２５】
前記基板（２）が、前記パターン形成領域（２１）の反対側の背面（２２）を更に有し、前記静電容量タッチパネルが、前記基板（２）の前記背面（２２）上に形成された導電接地層（９）を更に備える、請求項２１に記載の静電容量タッチパネル。
【請求項２６】
前記ピクセルの前記サブピクセルカラー要素（１９１）が共に、該サブピクセルカラー要素の間に溝（１９０）のネットワークを画定し、前記カラーピクセル層（１９）が、前記溝（１９０）を充填するブラックマトリクス（１９２）を更に有する、請求項２１に記載の静電容量タッチパネル。
【請求項２７】
各前記第一の電極（３１１）が複数の第一の導電トレース（３１１１）から形成され、各前記第二の電極ユニット（３２）が、前記第一の方向（Ｙ）に配列された複数の第二の電極（３２１）を含み、各前記第二の電極（３２１）が複数の第二の導電トレース（３２１１）から形成され、前記第一の導電トレース（３１１１）及び前記第二の導電トレース（３２１１）の各々が、前記基板（２）に対して法線方向に各前記溝（１９０）のセグメントと配列されている、請求項２６に記載の静電容量タッチパネル。
【請求項２８】
各前記第一の電極（３１１）の前記第一の導電トレース（３１１１）が共に複数の閉ループを画定し、該閉ループの各々が少なくとも一つの前記サブピクセルカラー要素（１９１）を取り囲み、各前記第二の電極（３２１）の前記第二の導電トレース（３２１１）が共に複数の閉ループを画定し、該閉ループの各々が少なくとも一つの前記サブピクセルカラー要素（１９１）を取り囲む、請求項２７に記載の静電容量タッチパネル。
【請求項２９】
基板（２）と、
前記基板（２）上に形成されカラーピクセル（１９３）のアレイを有するカラーピクセル層（１９）であって、各前記カラーピクセル（１９３）が色の異なる少なくとも三つのサブピクセルカラー要素（１９１）を含み、前記ピクセルの前記サブピクセルカラー要素（１９１）が共に、前記サブピクセルカラー要素（１９１）の間に溝（１９０）のネットワークを画定し、前記溝（１９０）を充填するブラックマトリクス（１９２）を更に有するカラーピクセル層（１９）と、
第一の方向（Ｙ）に配列された複数の第一の電極ユニット（３１）と、前記第一の方向（Ｙ）の横方向の第二の方向（Ｘ）に配列された複数の第二の電極ユニット（３２）とを含むパターン化導電層（３）であって、各前記第一の電極ユニット（３１）が前記ブラックマトリクス（１９２）上に形成された複数の第一の電極（３１１）を含み、各前記第二の電極ユニット（３２）が前記ブラックマトリクス（１９２）上に形成された複数の第二の電極（３２１）を含み、前記第一の電極ユニット（３１）が前記第二の電極ユニット（３２）に静電容量結合されて、前記ブラックマトリクス（１９２）上に二次元的に配置された静電容量感知ユニット（５）が形成されている、パターン化導電層（３）と、
を備えた静電容量タッチパネル。
【請求項３０】
各前記第一の電極（３１１）が複数の第一の導電トレース（３１１１）を有し、各前記第二の電極（３２１）が複数の第二の導電トレース（３２１１）を有し、前記ブラックマトリクス（１９２）並びに前記第一の導電トレース（３１１１）及び前記第二の導電トレース（３２１１）が、前記ピクセルの前記サブピクセルカラー要素（１９１）内に埋め込まれ、前記静電容量タッチパネルが、前記ピクセルの前記サブピクセルカラー要素（１９１）上に形成されたインジウムスズ酸化物製のＩＴＯ層（１９４）を更に備える、請求項２９に記載の静電容量タッチパネル。
【請求項３１】
電極形成領域（２１１）と該電極形成領域（２１１）を取り囲み結合領域（２１３）を有する周辺領域（２１２）とに分けられるパターン形成表面（２１）を有する第一の基板（２）と、
前記パターン形成表面（２１）上に形成されたパターン化導電層（３）であって、前記電極形成領域（２１１）上に形成された複数の第一の電極ユニット（３１）と、前記電極形成領域（２１１）上に形成された複数の第二の電極ユニット（３２）と、間隔の空けられた複数の第一の導電線（３３）と、間隔の空けられた複数の第二の導電線（３４）とを含むパターン化導電層（３）であって、前記第一の電極ユニット（３１）が前記第二の電極ユニット（３２）に静電容量結合されて、前記電極形成領域（２１１）に二次元的に配置された複数の静電容量感知ユニット（５）が形成され、各前記第一の電極ユニット（３１）が複数の第一の電極（３１１）を含み、各前記第一の導電線（３３）が、前記パターン形成表面（２１）に沿って各前記第一の電極ユニット（３１）の少なくとも一つ前記第一の電極（３１１）から前記周辺領域（２１２）の前記結合領域（２１３）へと接続され延伸し、各前記第二の導電線（３４）が、前記パターン形成表面（２１）に沿って前記第二の電極ユニット（３２）から前記周辺領域（２１２）の前記結合領域（２１３）へと延伸し、前記第一の導電線（３３）と交差しない、パターン化導電層（３）と、
前記第一の基板（２）と間隔を空けて重畳し、対向する第一の表面（７０１）及び第二の表面（７０２）を有する第二の基板（７０）であって、前記第一の表面（７０１）に、間隔の空けられた導電性の複数の第一のフィンガー部（７３’）及び間隔の空けられた導電性の複数の第二のフィンガー部（７４’）が設けられ、前記第一のフィンガー部（７３’）及び前記第二のフィンガー部（７４’）の各々が前記第一の導電線（３３）及び前記第二の導電線（３４）に接着され、前記第二の表面（７０２）には、導電性の複数の連結線（７６’）が設けられ、前記第二の基板（７０）には、複数のビアユニット（７５’）が設けられ、各前記ビアユニット（７５’）が、前記第一の表面（７０１）及び前記第二の表面（７０２）を貫いて延伸し各前記連結線（７６’）及び各前記第一の導電線（３３）に電気的に接続されている複数のビア（７５１’）を含む、第二の基板（７０）と、
を備えた静電容量タッチパネル。
【請求項３２】
前記第一の基板（２）及び前記第二の基板（７０）がガラス製である、請求項３１に記載の静電容量タッチパネル。
【請求項３３】
前記第一のフィンガー部（７３’）及び前記第二のフィンガー部（７４’）の各々に接続された複数の第一の導電トレース（７７）及び複数の第二の導電トレース（７８）を有するフレキシブル印刷回路板（７”）を更に備えた請求項３１に記載の静電容量タッチパネル。
【発明の詳細な説明】
【技術分野】
【０００１】
［関連出願の相互参照］
本願は、２００９年２月２０日出願の台湾特許出願第０９８２０２５２７号の優先権を主張している２００９年８月２５日出願の米国特許出願第１２／５４７４３８号の部分優先を主張する。米国特許出願第１２／５４７４３８号及び台湾特許出願第０９８２０２５２７号の内容は参照として本願に組み込まれる。
【０００２】
本発明は、静電容量タッチパネルに係り、より詳細には、基板の同一表面上に直接形成され二次元的に配置された第一及び第二の電極並びに第一及び第二の導電線を有するパターン化導電層を含む静電容量タッチパネルに関する。
【背景技術】
【０００３】
特許文献１には、基板と、基板上に形成され交互に配置された第一及び第二の電極と、第一の導電線と、第二の導電線と、絶縁パッドとを含む従来の静電容量タッチパネルが開示されている。第一の電極は平行な列として配置される。第二の電極は平行な行として配置される。各第一の導電線は、第一の電極の各列の隣接する二つの第一の電極を相互接続する。各絶縁パッドは、各第一の導電線の一部を覆う。各第二の導電線は、第二の電極の各行の隣接する二つの第二の電極を相互接続し、また、各第一の導電線の一部と交差し、各絶縁パッドによってこれから分離されている。特許文献２には、基板と、基板上に形成された第一及び第二の電極と、第一の導電線と、第二の導電線とを含む他の従来の静電容量タッチパネルが開示されている。第一及び第二の電極は、第一の方向に延伸し、第二の方向に交互配置されている。第二の電極は三つのグループに分けられる。各第一の導電線は、各第一の電極に接続されている。各第二の導電線は、第二の電極のグループのうち一つに接続されている。第二の導電線はビア部を有し、該ビア部によって、第二の導電線が、第一の導電線と交差及びバイパスする一方で、外部のコネクタとの接続用に各第二の電極から結合領域へと延伸する。
【０００４】
従って、上述の二つの従来の静電容量タッチパネルは、第一及び第二の電極のレイアウト用に少なくとも二つのパターン化層を必要とし、又は、第一及び第二の導電線のレイアウト用に絶縁層及びビアコンタクトを備えた一つの基板を必要とする。更に、上述の二つの従来の静電容量タッチパネルには、複雑な層構造を有して、複雑な製造プロセスを必要とする結果、製造コストが高くなるという不利な点があり、また、インセル型（ｉｎ‐ｃｅｌｌ）の静電容量タッチパネルを形成するために、カラーフィルタ又はカラーピクセルのアレイ（その各々は、赤、緑及び青のカラー要素等の少なくとも三つのサブピクセルカラー要素を含む）と集積するのが困難であるという不利な点がある。
【先行技術文献】
【特許文献】
【０００５】
【特許文献１】台湾特許出願第０９６１１５１５２号明細書
【特許文献２】米国特許出願公開第２００８／０２４６４９６号明細書
【発明の概要】
【発明が解決しようとする課題】
【０００６】
従って、本発明の課題は、基板の一表面上に単純な単一層構造を有し、インセル型の静電容量タッチパネルを形成するためにカラーフィルタと集積し易い静電容量タッチパネルを提供することである。
【課題を解決するための手段】
【０００７】
本発明の一観点によると、基板と、カラーピクセル層と、パターン化導電層とを備えた静電容量タッチパネルが提供される。基板は、電極形成領域と該電極形成領域を取り囲み結合領域を有する周辺領域とに分けられるパターン形成表面を有する。カラーピクセル層は、基板上に配置され、カラーピクセルのアレイを有し、各カラーピクセルは、色の異なる少なくとも三つのサブピクセルカラー要素を含む。パターン化導電層は、パターン形成表面上に形成され、また、電極形成領域上に形成され第一の方向に配列された複数の第一の電極ユニットと、電極形成領域上に形成され第一の方向の横方向の第二の方向に配列された複数の第二の電極ユニットと、間隔の空けられた複数の第一の導電線と、間隔の空けられた複数の第二の導電線とを含む。第一の電極ユニットは第二の電極ユニットに静電容量結合されて、電極形成領域に二次元的に配置された複数の静電容量感知ユニットが形成される。各第一の電極ユニットは、第二方向に配列された複数の第一の電極を含む。各第一の導電線は、各第一の電極ユニットの少なくとも一つの第一の電極から周辺領域へと接続され延伸する。第一の導電線は、外部のコネクタに電気的に結合するために結合領域において収束する。各第二の導電線は、第二の電極ユニットから周辺領域へと延伸し、外部のコネクタに電気的に結合するために結合領域において収束し、第一の導電線と交差しない。
【０００８】
本発明の他の観点によると、基板と、カラーピクセル層と、パターン化導電層と、コネクタとを備えた静電容量タッチパネルが提供される。基板は、電極形成領域と該電極形成領域を取り囲み結合領域を有する周辺領域とに分けられるパターン形成表面を有する。カラーピクセル層は、基板上に配置され、カラーピクセルのアレイを有し、各カラーピクセルは、色の異なる少なくとも三つのサブピクセルカラー要素を含む。パターン化導電層は、パターン形成表面上に形成され、また、電極形成領域上に形成された複数の第一の電極ユニットと、電極形成領域上に形成された複数の第二の電極ユニットと、間隔の空けられた複数の第一の導電線と、間隔の空けられた複数の第二の導電線とを含む。第一の電極ユニットは第二の電極ユニットに静電容量結合されて、電極形成領域に二次元的に配置された複数の静電容量感知ユニットが形成される。各第一の電極ユニットは複数の第一の電極を含む。コネクタは、第一及び第二の電極ユニットを制御装置に電気的に接続するために、基板のパターン形成表面の周辺領域の結合領域に結合される。コネクタは、間隔の空けられた複数の第一の導電フィンガー部と、間隔の空けられた複数の第二の導電フィンガー部とを有する。各第一の導電線は、各第一の電極ユニットの少なくとも一つの第一の電極から周辺領域へと接続されて延伸する。各第一の導電線は、第一の導電フィンガー部と電気的に接続するために結合領域において収束する。各第二の導電線は、第二の電極ユニットから周辺領域へと延伸し、第一の導電線と交差せず、第二の導電フィンガー部と電気的に接続するために結合領域において収束する。
【０００９】
本発明の更に他の観点によると、基板と、カラーピクセル層と、パターン化導電層とを備えた静電容量タッチパネルが提供される。カラーピクセル層は、基板上に形成され、カラーピクセルのアレイを有し、各カラーピクセルは、色の異なる少なくとも三つのサブピクセルカラー要素を含む。ピクセルのサブピクセルカラー要素は、その間に溝のネットワークを画定する。カラーピクセル層は、溝を充填するブラックマトリクスを更に有する。パターン化導電層は、ブラックマトリクス上に形成され第一の方向に配列された複数の第一の電極ユニットと、ブラックマトリクス上に形成され第一の方向の横方向の第二の方向に配列された複数の第二の電極ユニットとを含む。第一の電極ユニットは第二の電極ユニットに静電容量結合されて、ブラックマトリクス上に二次元的に配置された複数の静電容量感知ユニットが形成される。
【００１０】
本発明の更に他の観点によると、電極形成領域と該電極形成領域を取り囲み結合領域を有する周辺領域とに分けられるパターン形成表面を有する第一の基板と；  パターン形成表面上に形成されたパターン化導電層であって、電極形成領域上に形成された複数の第一の電極ユニットと、電極形成領域上に形成された複数の第二の電極ユニットと、間隔の空けられた複数の第一の導電線と、間隔の空けられた複数の第二の導電線とを含むパターン化導電層と；  第一の基板と間隔を空けて重畳し対向する第一及び第二の表面を有する第二の基板とを備えた静電容量タッチパネルが提供される。第一の電極ユニットは、第二の電極ユニットに静電容量結合されて、電極形成領域に二次元的に配置された複数の静電容量感知ユニットが形成される。各第一の電極ユニットは複数の第一の電極を含む。各第一の導電線は、パターン形成表面に沿って、各第一の電極のユニットの少なくとも一つの第一の電極から周辺領域の結合領域へと、接続され延伸する。各第二の導電線は、パターン形成表面に沿って、第二の電極ユニットから周辺領域の結合領域へと延伸し、第一の導電線と交差しない。第一の表面には、間隔の空けられた複数の第一の導電フィンガー部及び間隔の空けられた複数の第二の導電フィンガー部が設けられる。第一及び第二のフィンガー部は各々、第一及び第二の導電線に接着される。第二の表面には、複数の導電連結線が設けられる。第二の基板には複数のビアユニットが設けられ、各ビアユニットは、第一及び第二の表面を貫いて延伸し、各連結線及び各第一の導電線に電気的に接続された複数のビアを含む。
【００１１】
本発明の他の特徴及び利点は、添付図面を参照して、以下の本発明の好ましい実施形態の詳細な説明において明らかになるものである。
【図面の簡単な説明】
【００１２】
【図１】本発明に係る静電容量タッチパネルの第一の好ましい実施形態の概略図である。
【図２】第一の好ましい実施形態の部分断面図である。
【図３】第一の好ましい実施形態の静電容量感知ユニットの構成を示す概略図である。
【図４】本発明に係る静電容量タッチパネルの第二の好ましい実施形態の概略図である。
【図５】第二の好ましい実施形態の静電容量感知ユニットを示す概略図である。
【図６】本発明に係る静電容量タッチパネルの第三の好ましい実施形態の概略図である。
【図７】本発明に係る静電容量タッチパネルの第四の好ましい実施形態の概略図である。
【図８】本発明に係る静電容量タッチパネルの第五の好ましい実施形態の概略図である。
【図９】本発明に係る静電容量タッチパネルの第六の好ましい実施形態の概略図である。
【図１０】本発明に係る静電容量タッチパネルの第七の好ましい実施形態の概略図である。
【図１１】本発明に係る静電容量タッチパネルの第八の好ましい実施形態の部分概略図であり、導電性パターン化層の構造を示すためにカラーフィルタが図から省略されている。
【図１２】図１１の下方部分の拡大図であり、カラーフィルタのブラックマトリクスが図から省略されている。
【図１３】本発明に係る静電容量タッチパネルの第八の好ましい実施形態の断面図である。
【図１４】本発明に係る静電容量タッチパネルの第九の好ましい実施形態の断面図である。
【図１５】本発明に係る静電容量タッチパネルの第十の好ましい実施形態の断面図である。
【図１６】本発明に係る静電容量タッチパネルの第十一の好ましい実施形態の断面図である。
【図１７】本発明に係る静電容量タッチパネルの第十二の好ましい実施形態の断面図である。
【図１８】本発明に係る静電容量タッチパネルの第十三の好ましい実施形態の部分分解斜視図である。
【発明を実施するための形態】
【００１３】
好ましい実施形態を参照して本発明についてより詳細に説明にするにあたって、開示全体にわたり同様の要素には同一の参照符号が付されていることに留意されたい。
【００１４】
図１から図３は、本発明に係る静電容量タッチパネルの第一の好ましい実施形態を示す。静電容量タッチパネルは、制御装置８に接続され、基板２と、パターン化導電層３と、コネクタ７とを含む。
【００１５】
基板２は、電極形成領域２１１及び周辺領域２１２に分けられるパターン形成表面２１を有する。周辺領域２１２は、電極形成領域２１１を取り囲み、電極形成領域２１１の底部側に隣接する結合領域２１３を有する。
【００１６】
パターン化導電層３は、パターン形成表面２１上に形成され、また、電極形成領域２１１上に形成され第一の方向（Ｙ）に配列された複数の第一の電極ユニット３１と、電極形成領域２１１上に形成され第一の方向（Ｙ）の横方向の第二の方向（Ｘ）に配列された複数の第二の電極ユニット３２と、間隔の空けられた複数の第一の導電線３３と、間隔の空けられた複数の第二の導電線３４と、複数の導電相互接続線３５とを含む。パターン化導電層３全体は、パターン形成表面２１上に直接形成可能であり、又は、他の基板（図示せず）からパターン形成表面２１に転写される。
【００１７】
各第一の電極ユニット３１は、第二の方向（Ｘ）に配列された複数の第一の電極３１１を含む。各第二の電極ユニット３２は、第一の方向（Ｙ）に配列された複数の第二の電極３２１を含む。第二の電極ユニット３２の隣接する二つの第二の電極３２１は共にその間にチャネル６を画定する。第二の電極ユニット３２の第二の電極３２１によって画定されたチャネル６は、電極形成領域２１１の上部側（本願では一側とも指称する）から電極形成領域２１１の底部側（本願では他側とも指称する）へと第一の方向（Ｙ）に延伸する。各第一の電極ユニット３１の第一の電極３１１は、チャネル６内に各々配置される。
【００１８】
第一の電極ユニット３１は第二の電極ユニット３２に静電容量結合されて、電極形成領域２１１に二次元的に配置された複数の静電容量感知ユニット５を形成する。各静電容量感知ユニット５は、二つの隣接する第一の電極３１１と、これらに隣接する二つの第二の電極３２１とを含む。図３に、各静電容量感知ユニット５によって発生した電場が矢印で表されている。
【００１９】
各第一の導電線３３は、各第一の電極ユニット３１の各第一の電極３１１から周辺領域２１２へと接続されて延伸している。結合領域２１３に隣接する電極形成領域２１１の底部側に配置された各第一の電極３１１から延伸する第一の導電線３３の一部は、電極形成領域２１１の外側に配置されている一方、残りの第一の導電線３３は各々、各第一の電極３１１から、各第一の電極３１１が配置されているチャネル６へと延伸する。また、第一の導電線３３は、コネクタ７への電気結合用に、結合領域２１３において収束する。
【００２０】
各第二の導電線３４は、第二の電極ユニット３２から周辺領域２１２へと延伸する。特に、各第二の導電線３４は、結合領域２１３に隣接する電極形成領域２１１の底部側に配置された各第二の電極ユニット３２の各第二の電極３２１に接続される。また、第二の導電線３４は、コネクタ７への電気結合用に、結合領域２１３において収束し、第一の導電線３３と交差しない。
【００２１】
満たさなければならない静電容量タッチパネルの重要な光学的品質は、第一及び第二の電極ユニット３１、３２並びに第一及び第二の導電線３３、３４が実質的に不可視であることに留意されたい。そこで、不可視性を得るために、第一及び第二の電極ユニット３１、３２並びに第一及び第二の導電線３３、３４を、インジウムスズ酸化物（ＩＴＯ，Ｉｎｄｉｕｍ  Ｔｉｎ  Ｏｘｉｄｅ）の超薄膜から形成することができる。しかしながら、ＩＴＯ層の層厚さとＩＴＯ層の電気抵抗との間には反比例関係があるので（つまり、ＩＴＯ層の層厚さが薄くなるほど、ＩＴＯ層の電気抵抗が大きくなる）、また、第一及び第二の導電線３３、３４は比較的長いので、電機抵抗を減少させるために、従来の設計では、第一及び第二の導電線３３、３４を短くするための絶縁層及びビアと、第一及び第二の導電線３３、３４の部分用の物質として用いられる金属とが必要とされる。例えば、特許文献２に開示される上述の従来の静電容量タッチパネルは、導電線の部分（ＩＴＯ製）を、活性領域の外側（つまり、電極形成領域内）で導電線の残りの部分（金属製）に接続するために、基板上に形成された少なくとも一つの絶縁層及びビアを有する。そうして、上述の従来の静電容量タッチパネルの第一及び第二の導電線は互いに交差してしまう。本発明の好ましい実施形態では、ＩＣ（集積回路，ｉｎｔｅｇｒａｔｅｄ  ｃｉｒｃｕｉｔ）のＲＣ要件を満たす低抵抗を達成するように、また、第一及び第二の導電線３３、３４が互いに交差せずに第一及び第二の電極３１１、３２１から結合領域２１３へと延伸することができるように、第一及び第二の導電線３３、３４のＩＴＯ層は十分に厚い。代わりに、第一及び第二の導電線３３、３４は、３０マイクロメートル未満の線幅でほぼ不可視の非常に薄い金属線を用いても、形成することができる。ＩＴＯを導電線の物質又は電極の物質として用いる場合、ＩＴＯ層の厚さは、ＩＣ用のＲＣ要件を満たすように、３インチの静電容量タッチパネルに対しては７０ｎｍよりも厚くなければならず、４インチ以上の静電容量タッチパネルに対しては２００ｎｍよりも厚くなければならない。ＩＴＯは青色光に対する吸収が大きいので、そして、ＩＴＯ層の厚さの増大は青色光の吸収の増大をもたらすので、追加の補償又は反射防止層をＩＴＯ層上に形成して、ＩＴＯパターンの視認性を最小化しなければならない。
【００２２】
各相互接続線３５は、各第二の電極ユニット３２の隣接する二つの第二電極３２１を相互接続する。従って、各第二の電極ユニット３２の第二の電極３２１は、作動すると、同一の電位を有する。
【００２３】
コネクタは、フレキシブル印刷回路板であり得て、第一の電極ユニット３１及び第二の電極ユニット３２を制御装置８に電気的に接続するために、基板２のパターン形成表面２１の周辺領域２１２の結合領域２１３に結合される。コネクタ７は、結合表面７１と、結合表面７１の反対側の接続表面７２と、結合表面７１上に形成され間隔の空けられた複数の第一の導電フィンガー部７３と、結合表面７１上に形成され間隔の空けられた複数の第二の導電フィンガー部７４と、結合表面７１及び接続表面７２を貫いて延伸する複数のビアユニット７５と、接続表面７２上に形成され間隔の空けられた複数の導電連結線７６とを有する。
【００２４】
各第一の導電フィンガー部７３は、電気的に接続されるように、第一の導電線３３に結合される。各第二の導電フィンガー部７４は、電気的に接続されるように、第二の導電線３４に結合される。
【００２５】
各ビアユニット７５は、各連結線７６に電気的に接続された複数のビア７５１を有する。各ビアユニット７５の各ビア７５１は、各第一の導電フィンガー部７３に電気的に接続される。特に、各ビアユニット７５の各ビア７５１は、各第一の電極ユニット３１の第一の電極３１１から延伸する第一の導電線３３に結合されている第一の導電フィンガー部７３に、電気的に接続される。従って、各第一の電極ユニット３１の第一の電極３１１は、作動すると、同一の電位を有する。
【００２６】
基板２は、パターン形成表面２１の反対側の背面２２を更に有する。静電容量タッチパネルは、基板２の背面２２上に形成された導電接地層９を更に含み、ＬＣＤからのＥＭＩ（電磁妨害，ｅｌｅｃｔｒｏｍａｇｎｅｔｉｃ  ｉｎｔｅｒｆｅｒｅｎｃｅ）を遮断する。
【００２７】
基板２は、透明誘電体（例えばガラス）及び不透明誘電体のうち一つから選択された物質製である。各パターン化導電層３及び接地層９は、透明導電体（例えばＩＴＯ、ＩＺＯ又はＡＺＯ）及び金属物質（例えばＡｇ）のうち一つから選択された物質の少なくとも一膜から形成され、好ましくは三層構造（例えばＩＴＯ／Ａｇ／ＩＴＯ）を有する。
【００２８】
図４及び図５は、本発明に係る静電容量タッチパネルの第二の好ましい実施形態を示す。第二の好ましい実施形態は、パターン化導電層３及びコネクタ７の構造において第一の好ましい実施形態と相違する。
【００２９】
本実施形態では、パターン化導電層３は、第一の好ましい実施形態の相互接続線３５を含まず、コネクタ７は、第一の好ましい実施形態のビアユニット７５及び連結線７６を含まない。
【００３０】
各第一の電極ユニット３１の各第一の電極３１１は、二つの第二の電極ユニット３２の隣接する二つ第二の電極３２１の間に配列して配置される。各静電容量感知ユニット５は、一つの第一の電極３１１の一つと、それに隣接する一つの第二の電極３２１とを含む。図５に、各静電容量感知ユニット５によって発生した電場が矢印で表されている。
【００３１】
各第一の導電線３３は、各第一の電極ユニット３１の第一の電極３１１に接続されていて、各第一の電極ユニット３１の第一の電極３１１は、作動すると、同一の電位を有するようになる。
【００３２】
各第二の導電線３４は、各第二の電極ユニット３２の第二の電極３２１に接続されていて、各第二の電極ユニット３２の第二の電極３２１は、作動すると、同一の電位を有するようになる。
【００３３】
図６は、本発明に係る静電容量タッチパネルの第三の好ましい実施形態を示す。第三の好ましい実施形態は、パターン化導電層３の構造において第一の好ましい実施形態と相違する。
【００３４】
本実施形態では、各第一の電極ユニット３１の各第一の電極３１１は、各第二の電極ユニット３２の隣接する二つの第二の電極３２１の間に配列して配置される。各静電容量感知ユニット５は、一つの第一の電極３１１と、それに隣接する一つの第二の電極３２１とを含む。
【００３５】
第一の電極３１１及び第二の電極３１２は共に、複数のチャネル６を画定し、各チャネル６は、電極形成領域２１１の上部側から電極形成領域２１１の底部側へと、第一の方向（Ｙ）に延伸する。各相互接続線３５は、各第二の電極ユニット３２の隣接する二つの第二の電極３２１を相互接続し、中心のチャネル６へと延伸する。
【００３６】
第一の導電線３３は、電極形成領域２１１の外側に配置され、第二の方向（Ｘ）に対して両側の周辺領域２１２に隣接して配置された各第一の電極３１１から延伸する。
【００３７】
パターン化導電層３は、導電性の複数の第一の接続線３６と、導電性の複数の第二の接続線３７とを更に含み、各第一の接続線３６は、中心のチャネル６の左側（本願では一側とも指称する）に配置された各第一の電極ユニット３１の隣接する二つの第一の電極３１１を相互接続し、各第二の接続線３７は、中心のチャネル６の右側（本願では他側とも指称する）に配置された各第一の電極ユニット３１の隣接する二つの第一の電極３１１を相互接続する。
【００３８】
図７は、本発明に係る静電容量タッチパネルの第四の好ましい実施形態を示す。第四の好ましい実施形態は、以下の点において第一の好ましい実施形態と相違する：  ａ）静電容量タッチパネルが他のコネクタ７’を更に含む点、ｂ）基板２のパターン形成表面２１の周辺領域２１２が、電極形成領域２１１の上部側に隣接する他の結合領域２１３’を更に有し、コネクタ７’に結合される点、ｃ）パターン化導電層３が複数の第三の導電線３８を含む点。
【００３９】
本実施形態では、コネクタ７を介して制御装置８に電気的に接続するために、パターン形成表面２１の下半分に配置された第一の導電線３３は、結合領域２１３において収束する。コネクタ７’、パターン化導電層３の第三の導電線３８及びコネクタ７を介して制御装置８に電気的に接続するために、パターン形成表面２１の上半分に配置された第一の導電線３３は、結合領域２１３’において収束する。
【００４０】
静電容量タッチパネルのサイズが大きく、多数の第一の導電線３３を含む場合に、第四の好ましい実施形態は好適である。
【００４１】
図８は、本発明に係る静電容量タッチパネルの第五の好ましい実施形態を示す。第五の好ましい実施形態は、パターン化導電層３が、第二の電極ユニット３２の第二の電極３２１によって画定されるチャネル６に配置された複数のダミー電極３９を更に含む点において第一の好ましい実施形態と相違する。
【００４２】
本実施形態では、ダミー電極３９は、接地されるか（図示せず）、参照電極若しくはフローティング電極に接続されるか（図示せず）、又は、他の部品への電気接続を有しない。ダミー電極３９は、第一の電極３１１と第二の電極３２１とチャネル６との間の光透過率の差を減少させて、パターン化導電層３上に形成される反射防止層（図示せず）の設計を簡略化することができる。上述の実施形態も、パターン形成表面２１上にダミー電極３９を含むことができる点には留意されたい。
【００４３】
図９は、本発明に係る静電容量タッチパネルの第六の好ましい実施形態を示す。第六の好ましい実施形態は、パターン化導電層３の構造において第一の好ましい実施形態と相違する。
【００４４】
本実施形態では、パターン化導電層３は、相互接続線３５を含まない。各第二の電極ユニット３２は、細長のバー状の第二の電極３２１一つのみを含む。各第一の電極ユニット３１の各第一の電極３１１は矩形である。各第一の電極ユニット３１の第一の電極３１１のサイズは、電極形成領域２１１の上部側から電極形成領域２１１の底部側へと第一の方向（Ｙ）に沿って変化して、徐々に減少するものとすることができる。各静電容量感知ユニット５は、一つの第一の電極３１１と、それに隣接する一つの第二の電極３２１の一部とを含む。
【００４５】
図１０は、本発明に係る静電容量タッチパネルの第七の好ましい実施形態を示す。第七の好ましい実施形態は、第一の電極ユニット３１の第一の電極３１１が矢印形（又は凹多角形）である点において第六の好ましい実施形態と相違する。
【００４６】
図１１から図１３は、本発明に係る静電容量タッチパネルの第八の好ましい実施形態を示す。第八の好ましい実施形態は、液晶ディスプレイ（図示せず）のカラーピクセル層１９及びＴＦＴアレイパネル１０１が第一の好ましい実施形態の静電容量タッチパネルに集積されて、インセル型の静電容量タッチパネルを形成する点において第一の好ましい実施形態と相違する。他の実施形態では、本発明の静電容量タッチパネルは、有機発光ダイオード（ＯＬＥＤ，ｏｒｇａｎｉｃ  ｌｉｇｈｔ−ｅｍｉｔｔｉｎｇ  ｄｉｏｄｅ）ディスプレイやプラズマディスプレイパネル（ＰＤＰ，ｐｌａｓｍａ  ｄｉｓｐｌａｙ  ｐａｎｅｌ）等のカラーピクセル層と集積可能である。カラーピクセル層１９は、基板２上に配置され、カラーピクセル１９３のアレイを有し、各カラーピクセル１９３は、色の異なる少なくとも三つのサブピクセルカラー要素１９１（例えば、赤、緑、青（ＲＧＢ）カラー）を含む。ピクセル１９３のサブピクセルカラー要素１９１は共に、溝１９０のネットワークをその間に画定する。カラーピクセル層１９は、溝１９０を充填するブラックマトリクス１９２を更に有する。各第一の電極３１１は、複数の第一の導電トレース３１１１から形成される。各第二の電極３２１は、複数の第二の導電トレース３２１１から形成される。第一及び第二の導電トレース３１１１、３２１１は各々、基板２に対して法線方向に各溝１９０のセグメントと配列される。各第一の電極３１１の第一の導電トレース３１１１は共に、複数の閉ループを画定し、各閉ループは、少なくとも一つのサブピクセルカラー要素１９１を取り囲む。各第二の電極３２１の第二の導電トレース３２１１は共に、複数の閉ループを画定し、各閉ループは少なくとも一つのサブピクセルカラー要素１９１を取り囲む。第一及び第二の電極３１１、３２１各々の第一及び第二の導電トレース３１１１、３２１１は、金属又はＩＴＯ製であることが好ましい。本実施形態では、カラーピクセル層１９が、基板２のパターン形成表面２１上に形成され、第一及び第二の導電トレース３１１１、３２１１は各々、ブラックマトリクス１９２によって覆われる（簡単のため、図１３には、ブラックマトリクス１９２によって覆われた第一の電極３１１の第一の導電トレース３１１１のみが示されている）。インジウムスズ酸化物製のＩＴＯ層１９４はサブピクセルカラー要素１９１を覆う。第一の好ましい実施形態の接地層９（図２を参照）が、本実施形態では偏光フィルム１０２に置き換えられている点には留意されたい。液晶物質１００がＩＴＯ層１９４とＴＦＴアレイパネル１０１との間に配置される。ＩＴＯ層１９４は、ＴＦＴアレイパネル１０１上のトランジスタ及びキャパシタ（図示せず）用の共通電極として機能し、また、静電容量タッチパネル用のＥＭＩ遮断層として機能する。
【００４７】
図１４は、本発明に係る静電容量タッチパネルの第九の好ましい実施形態を示す。第九の好ましい実施形態は、カラーピクセル層１９が基板２の背面２２上に形成される点、及び、偏光フィルム１０２が第一及び第二の導電トレース３１１１、３２１１を覆う点（簡単のため、偏光フィルム１０２によって覆われた第一の導電トレース３１１１のみが示されている）において第八の好ましい実施形態と相違する。
【００４８】
図１５は、本発明に係る静電容量タッチパネルの第十の好ましい実施形態を示す。第十の好ましい実施形態は、接地層９（図２も参照）として機能する第二のＩＴＯ層が基板２の背面２２上に形成される点、及び、カラーピクセル層１９が第一及び第二のＩＴＯ層１９４、９の間に形成配置されている点において第九の好ましい実施形態と相違する。
【００４９】
図１６は、本発明に係る静電容量タッチパネルの第十一の好ましい実施形態を示す。第十一の好ましい実施形態は、静電容量タッチパネルが絶縁層１９５及び第二のＩＴＯ層１９６を更に含む点において第八の好ましい実施形態と相違する。絶縁層１９５は、基板２のパターン形成表面２１上に形成され、第一及び第二の導電トレース３１１１、３２１１を覆う（絶縁層１９５によって覆われた第一の導電トレース３１１１のみが示されている）。第二のＩＴＯ層１９６は、絶縁層１９５上に形成される。カラーピクセル層１９は、第一及び第二のＩＴＯ層１９４、１９６の間に形成配置される。
【００５０】
図１７は、本発明に係る静電容量タッチパネルの第十二の好ましい実施形態を示す。第十二の好ましい実施形態は、カラーピクセル層１９が基板２のパターン形成表面２１上に形成される点、及び、第一及び第二の電極３１１、３１２がブラックマトリクス１９２上に形成され、ブラックマトリクス１９２上に感知ユニット５（図３を参照）が形成される点において第八の好ましい実施形態と相違する。簡単のため、図１７には、ブラックマトリクス１９２上に形成された第一の電極３１１の第一の導電トレース３１１１のみが示されている点には留意されたい。本実施形態では、ブラックマトリクス１９２並びに第一及び第二の導電トレース３１１１、３２１１（図１７には第一の導電トレース３１１１のみが示されている）が、サブピクセルカラー要素１９１内に埋め込まれている。上述の実施形態では、第一及び第二の導電トレース３１１１、３２１１がＩＴＯ製である場合、その電気抵抗が静電容量タッチパネルのサイズの増大と共に顕著に増大することによって、静電容量タッチパネルのサイズが制限され、また、電気抵抗を減少させるために銀や銅等の金属製である場合、第一及び第二の導電トレース３１１１、３２１１によって生じる望ましくない反射を使用者が視認し得ることによって、ディスプレイの品質が劣る。この好ましい実施形態では、第一及び第二の導電トレース３１１１、３２１１がブラックマトリクス１９２の後ろに隠されることによって、第一及び第二の導電トレース３１１１、３２１１用の物質として金属を使用することができる。従って、この好ましい実施形態によって、ディスプレイ品質の優れた大型静電容量タッチパネルを実現することができる。
【００５１】
図１８は、本発明に係る静電容量タッチパネルの第十三の好ましい実施形態を示す。第十三の好ましい実施形態は、第一及び第二のフィンガー部７３’、７４’、連結線７６’及びビアユニット７５’が第二の基板の上又は中に形成される点において第一の実施形態と相違する。第二の基板７０は、ガラス製であり、第一の基板２と間隔を空けてこれと重畳し、対向する第一及び第二の表面７０１、７０２を有する。第一の表面７０１には、第一及び第二の導電フィンガー部７３’、７４’が設けられる。第一及び第二のフィンガー部７３’、７４’は、銀ペースト又は異方性導電ペースト（図示せず）を介して、第一及び第二の導電線３３、３４に各々接着される。第二の表面７０２には、導電連結線７６’が設けられる。各ビアユニット７５’の各ビア７５１’は、第一及び第二の表面７０１、７０２を貫いて延伸し、各第一の導電線３３に接続される。各ビアユニット７５’のビア７５１’は各連結線７６’に接続される。本実施形態では、ＩＣ制御装置８が、フレキシブル印刷回路板７”に結合される。フレキシブル印刷回路板７”は、ＩＣ制御装置８に接続され且つ第一及び第二のフィンガー部７３’、７４’に各々結合された複数の第一及び第二の導電トレース７７、７８を有する。
【００５２】
第一の導電線３３及び第二の導電線３４が互いに交差しない構成を用いることによって、本発明の静電容量タッチパネルのパターン化導電層３は、単純な構造を有し、単一のフォトリソグラフィ又は他のパターニング段階を用いて基板２上に直接形成可能であるので、製造プロセスが単純になり、製造コストが低くなる。
【００５３】
本発明について、最も実際的で好ましい実施形態と考えられるものに関連して説明してきたが、本発明は、開示された実施形態に限定されるものではなく、最も広範な解釈及び等価な構成の精神及び範囲内に含まれる多様な構成に及ぶものである。
【符号の説明】
【００５４】
２      基板
２１    パターン形成表面
２１１  電極形成領域
２１２  周辺領域
３１    第一の電極ユニット
３１１  第一の電極
３２    第二の電極ユニット
３２１  第二の電極
３３    第一の導電線
３４    第二の導電線
３５    相互接続線
５      静電容量感知ユニット
６      チャネル
７      コネクタ
７１    結合表面
７２    接続表面
７３    第一のフィンガー部
７４    第二のフィンガー部
７５    ビアユニット
７５１  ビア
７６    連結線
８      制御装置
Ｙ      第一の方向
Ｘ      第二の方向
【図１】
2010198615.tif 000003
【図２】
2010198615.tif 000004
【図３】
2010198615.tif 000005
【図４】
2010198615.tif 000006
【図５】
2010198615.tif 000007
【図６】
2010198615.tif 000008
【図７】
2010198615.tif 000009
【図８】
2010198615.tif 000010
【図９】
2010198615.tif 000011
【図１０】
2010198615.tif 000012
【図１１】
2010198615.tif 000013
【図１２】
2010198615.tif 000014
【図１３】
2010198615.tif 000015
【図１４】
2010198615.tif 000016
【図１５】
2010198615.tif 000017
【図１６】
2010198615.tif 000018
【図１７】
2010198615.tif 000019
【図１８】
2010198615.tif 000020
【外国語明細書】
2010198615.tif 000021
2010198615.tif 000022
2010198615.tif 000023
2010198615.tif 000024
2010198615.tif 000025
2010198615.tif 000026
2010198615.tif 000027
2010198615.tif 000028
2010198615.tif 000029
2010198615.tif 000030
2010198615.tif 000031
2010198615.tif 000032
2010198615.tif 000033
2010198615.tif 000034
2010198615.tif 000035
2010198615.tif 000036
2010198615.tif 000037
2010198615.tif 000038
2010198615.tif 000039
2010198615.tif 000040
2010198615.tif 000041
2010198615.tif 000042
2010198615.tif 000043
2010198615.tif 000044
2010198615.tif 000045
2010198615.tif 000046
2010198615.tif 000047
2010198615.tif 000048
2010198615.tif 000049
2010198615.tif 000050
2010198615.tif 000051
2010198615.tif 000052
2010198615.tif 000053
2010198615.tif 000054
2010198615.tif 000055
2010198615.tif 000056
2010198615.tif 000057
2010198615.tif 000058
2010198615.tif 000059
2010198615.tif 000060
2010198615.tif 000061
2010198615.tif 000062
2010198615.tif 000063
2010198615.tif 000064
2010198615.tif 000065
2010198615.tif 000066
2010198615.tif 000067
2010198615.tif 000068
2010198615.tif 000069
2010198615.tif 000070
2010198615.tif 000071
2010198615.tif 000072
2010198615.tif 000073
2010198615.tif 000074
2010198615.tif 000075
2010198615.tif 000076
2010198615.tif 000077
2010198615.tif 000078
2010198615.tif 000079
2010198615.tif 000080
2010198615.tif 000081
2010198615.tif 000082
2010198615.tif 000083
2010198615.tif 000084